(57)【特許請求の範囲】
【請求項１】
指針キャップを有する指針と、前記指針が指示する指標部を有する表示板と、前記表示板が配置されるケース体と、前記指針を照明する光源と、前記光源が実装された回路基板と、先端に前記指針が装着される指針軸を有する駆動源と、前記光源の光を前記指針に導光する導光体と、を備えた指針式計器装置において、
前記指針キャップと前記表示板との間に、前記指針キャップの径よりも径大な発光部材が介在され、
前記導光体は、前記光源からの光を前記発光部材側に出射する出光部を有し、前記発光部材は、前記出光部から出光した光が入光する入光部を有する凹部と、
前記表示板側の面に着色層が設けられたフランジ部とから構成されることを特徴とする指針式計器装置。
【請求項２】
前記発光部材は、前記凹部から前記フランジ部へと一段高くなる箇所の角部が曲面であることを特徴とする請求項１に記載の指針式計器装置。
【請求項３】
前記角部は、前記着色層が前記凹部との間に隙間を有するように前記着色層によって覆われていることを特徴とする請求項２に記載の指針式計器装置。
【発明の詳細な説明】
【技術分野】
【０００１】
本発明は、指針と表示板との間に発光部材を介在させた指針式計器装置に関するものである。
【背景技術】
【０００２】
従来より、指針の周辺を光らせて、デザイン性を高めた指針式計器装置として特許文献１に記載のものが知られている。この指針式計器装置は、指針と表示板との間に透光性樹脂部材などから形成された遮光部材を設け、文字盤における遮光部材より外側を照明するものである。また、透光性樹脂部材にホットスタンプ等による着色層を塗布し、光源の光を別色で発光させるものも知られている。
【先行技術文献】
【特許文献】
【０００３】
【特許文献１】特開２００６−３００７１号公報
【発明の概要】
【発明が解決しようとする課題】
【０００４】
しかしながら、前記指針式計器装置は、光源の光の入射角度によっては着色層で反射されずに表示板に漏れ出て、文字盤にハレーションが生じ、意図しない光源の色が観察者にそのまま視認されてしまうといった問題点があり改良の余地があった。
【課題を解決するための手段】
【０００５】
本発明は、指針キャップを有する指針と、前記指針が指示する指標部を有する表示板と、前記表示板が配置されるケース体と、前記指針及び前記表示板とを照明する光源と、前記光源が実装された回路基板と、先端に前記指針が装着される指針軸を有する駆動源と、前記光源の光を前記指針及び前記表示板に導光する導光体と、を備えた指針式計器装置において、
前記指針キャップと前記表示板との間に、前記指針キャップの径よりも径大な発光部材が介在され、
前記導光体は、前記光源からの光を前記発光部材側に出射する出光部を有し、前記発光部材は、前記出光部から出光した光が入光する入光部を有する凹部と、
前記表示板側の面に着色層が設けられたフランジ部とから構成されるものである。
【０００６】
また、本発明は、前記発光部材は、前記凹部から前記フランジ部へと一段高くなる箇所の角部が曲面であるものである。
【０００７】
また、本発明は、前記角部は、前記着色層が前記凹部との間に隙間を有するように前記着色層によって覆われているものである。
【発明の効果】
【０００８】
光源の光が発光部材に設けた着色層を通過することによって、指針キャップの周縁を光源と違う色で照明することができるので、デザイン性が向上した指針式計器装置を提供することができる。
【図面の簡単な説明】
【０００９】
【図１】本発明の実施形態を示す正面図。
【図２】同上実施形態を示すＡ−Ａ断面図。
【図３】同上実施形態の発光部材周辺の拡大図
【図４】同上実施形態の発光部材の拡大図。
【発明を実施するための形態】
【００１０】
以下、添付図面に基づいて、本発明の一実施形態を説明する。指針式計器装置は、指針１と、表示板２と、ケース体３と、光源４と、回路基板５と、駆動源６と、導光体７とから主に構成され、指針１と、駆動源６から伸長する指針軸６１とを回路基板５と表示板２を介して連結固定し、駆動源６の指針軸６１の駆動に応じた指針１の軸周り回動により、表示板２に形成された指標部２１を指示するとともに、光源４の点灯により、導光体７によって光が導光され指針１を照明できるようになっている。
【００１１】
指針１は、ポリカーボネート，アクリルなどの合成樹脂からなる透光性の指針本体１１と、この指針本体１１の回動中心領域の前方及びその周囲を覆って背後が開口する、黒色系の遮光性合成樹脂からなる指針キャップ１２とからなり、指針軸６１に装着される。
【００１２】
表示板２は、透明樹脂に指標部２１となる数字及び目盛りを印刷したものであり、指標部２１は、指針本体１１によって指示される。
【００１３】
ケース体３は、白色樹脂からなるものであり、回路基板５と導光体７等を保持する。ケース体３には、第一、第二の導光体７ａ、７ｂを区画するように遮光壁が一体成形されていることにより、光源４ａ、４ｂが色混ざりなどしないで各々照明可能となる。
【００１４】
光源４は、指針用光源４ａと表示板用光源４ｂとから構成されている。指針用光源４ａは、後述する指針用導光体４ａによって光を指針１に向けて導光し、表示板用光源４ｂは、表示板用導光体７ｂによって光を表示板２に向けて導光する。
【００１５】
回路基板５は、アルミ等の高熱伝導率の材質からなり、光源４ａ、４ｂと電気的に接続され、光源４ａ、４ｂに電力を供給する。また、回路基板５の裏面側には、駆動源６が配置されている。
【００１６】
導光体７は、指針用導光体７ａと表示板用導光体７ｂとから構成されている。
指針用導光体７ａは、指針用光源４ａから発せられた光を指針１に向けて導光し、指針１を透過照明する。表示板用光源７ｂは、表示板用光源４ｂから発せられた光を表示板２に向けて導光し、表示板２を透過照明する。
【００１７】
発光部材８は、指針キャップ１２と表示板２との間に配置される円盤状の発光部材であり、指針軸６１を中心とした内周側に凹部８１と、外周側に凹部８１から一段高く形成されたフランジ部８２とを有している。凹部８１には、指針用導光体７ａの出光部７１から出光した光が入光する入光部８４が形成されている。また、凹部８１からフランジ部８２へと一段高くなる箇所の角部８３が曲面から形成されている。
【００１８】
着色層９は、例えばホットスタンプなどの手法を用いて発光部材８の表示板２側に配置された印刷層であり、指針用光源４ａの光が発光部材８内を反射することによって着色層９の色に変換する構造となっている。着色層９は、フランジ部８２に沿って塗布され、角部８３を覆い、凹部８１までの間に隙間（隙間部８５）を有する。
【００１９】
このように構成された指針式計器装置において、指針用光源４ａが点灯すると、指針用導光体７ａの出光部７１から出光した光は、その一部（Ｌ１）が入光部８４から凹部８１方向へ進み、指針キャップ１２内に入光し、指針本体１１を照明する。その他の光は、入光部８４や隙間部８５から入光し、発光部材８内を反射することで、フランジ部８２を覆う着色層９を反射し、色変換される（Ｌ２）。また、着色層９によって覆われた角部８３から入光した光は、着色層９を透過することによって色変換される（Ｌ３）。色変換された光は、指針キャップ１２の外周に延出する面（フランジ部８２と対向する面）及び発光部材８の端部８６から放射され、指針キャップ１２の周辺を照明する。
【００２０】
本実施形態のように、指針キャップ１２を有する指針１と、指針１が指示する指標部２１を有する表示板２と、表示板２が配置されるケース体３と、指針１及び表示板２とを照明する光源４と、光源１が実装された回路基板５と、先端に指針１が装着される指針軸６１を有する駆動源６と、光源４の光を指針１及び表示板２に導光する導光体７と、を備えた指針式計器装置において、指針キャップ１２と表示板２との間に、指針キャップ１２の径よりも径大な発光部材８が介在され、導光体７は、光源２からの光を発光部材８側に出射する出光部７１を有し、発光部材８は、出光部７１から出光した光が入光する入光部８４を有する凹部８１と、表示板２側の面に着色層９が設けられたフランジ部８２とから構成されることによって、光源１の色とは違う色で発光部材８を照明することができるので、デザイン性の向上した指針式計器装置を提供することができる。
【００２１】
また、発光部材８は、凹部８１からフランジ部８２へと一段高くなる箇所の角部８３が曲面であることによって、着色層９を角部８３に塗布する工程が容易くなる。
【００２２】
また、角部８３は、着色層９が凹部８１との間に隙間を有するように着色層９によって覆われているため、入光角度の違う光で合っても、確実に着色層９によって色変換させることが可能となる。
【００２３】
なお、本発明は、発光部材の視認される面が平面からなる構造としたが、例えば山切り面にすることで螺旋状に光らせる効果も期待できる。
【符号の説明】
【００２４】
１    指針
２    表示板
３    ケース体
４    光源
５    回路基板
６    駆動源
７    導光体
８    発光部材
９    着色層
１１  指針本体
１２  指針キャップ
２１  指標部
６１  指針軸
７１  出光部
８１  凹部
８２  フランジ部
８３  角部
８４  入光部
Ｌ１  光線１
Ｌ２  光線２
【図１】
0005825518.tif 000002
【図２】
0005825518.tif 000003
【図３】
0005825518.tif 000004
【図４】
0005825518.tif 000005